(57)【要約】【課題】現用系システムに制御異常が発生した場合、確実に現用系システムから予備系システムに切り替え、放送の継続を可能にする送出システムを提供する。【解決手段】１系ＯＡ（On Air）タリーおよび２系ＯＡ（On Air）タリーの監視を行い、予備制御系の２系ＯＡ（On Air）タリーがＯＦＦ（オフ）からＯＮ（オン）に変化した後、一定時間が経過しても現用制御系の１系ＯＡ（On Air）タリーがＯＮ（オン）にならない場合には、現用制御系に何らかの制御異常が発生していると判断して、現用系システムから予備系システムへのシステム自働切り替えを実行するシステム切り替え器６を備える。【選択図】  図１
2010011317.tif 000002
【特許請求の範囲】
【請求項１】
番組やＣＭ等の放送素材を収録し、前記放送素材を放送する放送素材記録装置と、前記放送素材記録装置の放送を制御する制御系と、を現用系システムと予備系システムの二重化構成とし、前記制御系の制御異常を検知して前記現用系システムの切り替えを行うシステム切り替え器、を備えた送出システムにおいて、
前記システム切り替え器は、前記現用系システムおよび前記予備系システムの前記制御系から供給されるＯＡ（On Air）タリーを検知し、検知した前記ＯＡタリーに基づいて前記現用系システムの切り替えを実行することを特徴とする送出システム。
【発明の詳細な説明】
【技術分野】
【０００１】
本発明は、番組やＣＭ等の放送素材を放送する現用系システムおよび予備系システムの二重化された送出システムに係り、特に現用系システムの制御異常が発生しても、確実に現用系システムを予備系システムに切り替え可能な送出システムに関する。
【背景技術】
【０００２】
図７に従来の送出システムのシステム構成図を示す。従来の送出システム１００は、放送素材記録装置（１系）１０１、主制御装置（１系）１０７および送出制御装置（１系）１０５の現用制御系で現用系送出システムが構成され、放送素材記録装置（２系）１０２、主制御装置（２系）１０８および送出制御装置（２系）１０６の予備制御系で予備系送出システムが構成されて、システムの二重化が構成されている。
【０００３】
また、従来の送出システム１００には、放送素材記録装置（１系）１０１および放送素材記録装置（２系）１０２からそれぞれ出力映像（１系）１０９および出力映像（２系）１１０がシステム切り替え器１０３に供給され、現用系システムの正常時には、出力映像（１系）１０９が選択された送出映像１１１として送出され、一方、現用系システムの異常時には、出力映像（２系）１１０が選択された送出映像１１１として送出されるように、システム切り替え器１０３によりシステム切り替えが行われる。
【０００４】
システム切り替え器１０３と送出制御装置（１系）１０５、システム切り替え器１０３と送出制御装置（２系）１０６は、それぞれアラームＩＦ（１系）１１２、アラームＩＦ（２系）１１３を介して接続され、現用制御系または予備制御系に制御異常が発生した場合、アラームＩＦ（１系）１１２またはアラームＩＦ（２系）１１３を介してアラーム信号がシステム切り替え器１０３に供給される。
【０００５】
システム切り替え器１０３がアラーム信号を検知すると、制御異常と判定し、現用系システムから予備系システム、または予備系システムから現用系システムへのシステム切り替えが行われる。
【０００６】
図８は従来の送出システムのアラーム信号によるシステム切り替え状態図を示す。現用制御系に制御エラー（異常）が発生すると、送出制御装置（１系）１０５からシステム切り替え器１０３にアラーム信号２０１が通知され、アラーム信号２０１を検知したシステム切り替え器１０３は、現用系システムを予備系システムに切り替えて、選択された送出映像１１１の送出が継続される。
【０００７】
なお、システム切り替えは、操作者がシステム切り替え器制御画面１０４を監視して、現用系システムの異常の際には、手動で行うことも可能になっている。
【０００８】
また、従来の送出システムは、特許文献１（送出システムにおける異常検出および自働切替え方式）に開示されているように、現用・予備系の二重化された映像・音声信号を収録再生する映像・音声収録再生機器と、収録時に異常検出のための補助データを重畳する補助データ重畳器と、再生時に補助データの検出を行い、検出結果に基づき現用・予備系の自動切替えを行うシステム切替器を備え、送出中識別信号が放送中を示した時に、現用映像・音声信号が正常に再生状態にあるかを検出し、現用映像・音声信号が正常再生状態でなく、予備映像・音声信号が正常であれば、現用系と予備系の切替えを行い、送出映像・音声信号として、予備映像・音声信号を出力するものが知られている。
【０００９】
さらに、従来の技術は、特許文献２（自働番組制御装置）に開示されているように、放送素材と複数の素材送出装置の個々の素材送出装置と個々の素材送出装置にそれぞれ対応する予備の素材送出装置との対応関係を示すテーブルを現用制御手段及び予備制御手段にそれぞれ設け、放送素材を送出中の素材送出装置が障害になったとき、テーブルに基づいて障害になった素材送出装置に対応する予備の素材送出装置に切替えるものが知られている。
【特許文献１】特開２００６−１０８８７５号公報
【特許文献２】特開２００２−６４４５４号公報
【発明の開示】
【発明が解決しようとする課題】
【００１０】
従来の送出システム１００は、現用制御系が制御異常を検知した場合、アラーム信号２０１をシステム切り替え器１０３に通知し、現用系システムから予備系システムに切り替えられるが、現用制御系自体に異常が発生して、アラーム信号２０１が通知されず、システム切り替えが実行されないケースがある。
【００１１】
例えば、現用制御系の送出制御装置（１系）１０５上で動作するアプリケーションの不具合による停止、送出制御装置（１系）１０５と主制御装置（１系）１０７のハードインタフェース（ＩＦ）の断絶などの場合である。
【００１２】
図９は従来の送出システムのアラーム信号停止によるシステム切り替え不良イメージ図を示す。現用制御系の送出制御装置（１系）１０５と主制御装置（１系）１０７との間に、ハードＩＦの断絶などの制御エラー（異常）が発生する場合、送出制御装置（１系）１０５からアラーム信号２０１が発生せず、現用系システムの制御異常であるにも拘わらず、現用系システムから予備系システムへの切り替えができない課題がある。
【００１３】
この発明はこのような課題を解決するためになされたもので、その目的は現用系システムに制御異常が発生した場合、確実に現用系システムから予備系システムに切り替え、放送の継続を可能にする送出システムを提供することにある。
【課題を解決するための手段】
【００１４】
前記課題を解決するためこの発明に係る送出システムは、番組やＣＭ等の放送素材を収録し、放送素材を放送する放送素材記録装置と、放送素材記録装置の放送を制御する制御系と、を現用系システムと予備系システムの二重化構成とし、制御系の制御異常を検知して現用系システムの切り替えを行うシステム切り替え器を備えた送出システムにおいて、システム切り替え器は、現用系システムおよび予備系システムの制御系から供給されるＯＡ（On Air）タリーを検知し、検知したＯＡタリーに基づいて現用系システムの切り替えを実行することを特徴とする。
【００１５】
ＯＡ（On Air）タリーは、番組やＣＭ等の放送素材の送出を開始した際にＯＮ（オン）、放送素材の送出が終了した際にＯＦＦ（オフ）となる信号であり、現用制御系および予備制御系からシステム切り替え器に供給するようにする。
【００１６】
従って、現用制御系または予備制御系の制御異常は、システム切り替え器がＯＡ（On Air）タリーを監視することにより検出することができ、現用系システムの自動切り替えが可能になる。
【００１７】
システム切り替え器は、ＯＡタリーの監視を行い、予備制御系のＯＡタリーがＯＮになってから一定時間以内に現用制御系のＯＡタリーがＯＮにならなかった際には、現用制御系に制御異常が発生したと判断して、現用系システムの自動切り替えを実行する。
【発明の効果】
【００１８】
本発明によれば、ＯＡタリーを監視することにより、制御異常を検知して自働システム切り替えを確実に実行するとともに、送出映像への影響を最小限にすることができる。
【発明を実施するための最良の形態】
【００１９】
以下、この発明の実施の形態を添付図面に基づいて説明する。なお、本発明は、現用系システムに制御異常が発生した場合、ＯＡタリーを監視することにより、確実に現用系システムから予備系システムに切り替え、放送の継続を可能にするものである。
【００２０】
図１はこの発明に係る送出システムの一実施の形態システム構成図である。なお、従来と同じ構成（図７参照）は、同じ符号で表す。図１において、送出システム１は、放送素材記録装置（１系）１０１、放送素材記録装置（２系）１０２、主制御装置（１系）２、主制御装置（２系）３、送出制御装置（１系）４、送出制御装置（２系）５、システム切り替え器６、ＯＡタリー分配器（１系）７Ａ、ＯＡタリー分配器（２系）７Ｂおよびシステム切り替え器制御画面１０４で構成される。
【００２１】
なお、放送素材記録装置（１系）１０１、主制御装置（１系）２、および送出制御装置（１系）４で、現用系送出システムが構成され、放送素材記録装置（２系）１０２、主制御装置（２系）３および送出制御装置（２系）５で、予備系送出システムが構成されて、システムの二重化が構成されている。
【００２２】
また、主制御装置（１系）２および送出制御装置（１系）４で、現用制御系が構成され、主制御装置（２系）３および送出制御装置（２系）５で、予備制御系が構成される。
【００２３】
ＯＡタリー分配器（１系）７ＡおよびＯＡタリー分配器（２系）７Ｂは、それぞれ１系ＯＡ（On Air）タリーを現用制御系（主制御装置（１系）２）、２系ＯＡ（On Air）タリーを予備制御系（主制御装置（２系）３）に分配する。また、１系ＯＡ（On Air）タリーを送出制御装置（１系）４から主制御装置（１系）２に直接供給し、２系ＯＡ（On Air）タリーを送出制御装置（２系）５から主制御装置（２系）３に直接供給するようにしてもよい。
【００２４】
１系ＯＡ（On Air）タリーおよび２系ＯＡ（On Air）タリーは、それぞれ送出制御装置（１系）４および送出制御装置（２系）５が番組やＣＭなどの放送素材の送出を開始したタイミングでＯＮ（オン）となり、放送素材の送出を停止したタイミングでＯＦＦ（オフ）となる信号である。
【００２５】
システム切り替え器６と現用制御系（送出制御装置（１系）４）の間、システム切り替え器６と予備制御系（送出制御装置（２系）５）との間に、それぞれＯＡタリーＩＦ（１系）８およびＯＡタリーＩＦ（２系）９を設ける。
【００２６】
システム切り替え器６は、自働システム切り替えが有効な期間には、常に１系ＯＡ（On Air）タリーおよび２系ＯＡ（On Air）タリーの監視を行い、予備制御系からの２系ＯＡ（On Air）タリーがＯＦＦ（オフ）からＯＮ（オン）に変化した後、一定時間が経過しても現用制御系からの１系ＯＡ（On Air）タリーがＯＮ（オン）にならない場合には、現用制御系に何らかの制御異常が発生していると判断して、現用系システムから予備系システムへのシステム自働切り替えを実行する。
【００２７】
図２はこの発明に係る送出システムの自働切り替えのイメージ図である。現用制御系に制御エラー（異常）が発生すると、現用制御系（送出制御装置（１系）４）から供給される１系ＯＡ（On Air）タリーがＯＦＦ（オフ）になる。
【００２８】
システム切り替え器６は、１系ＯＡ（On Air）タリーのＯＦＦ（オフ）を検知すると、システム自働切り替えを実行し、現用系システムから予備系システムに切り替えて、放送素材の送出を継続する。
【００２９】
ＯＡタリーの制御は、±１フレーム（Ｆ）の誤差が生じるため、自動システム切り替えを完了するまでの時間は、１００ｍｓｅｃ（３フレーム：３Ｆ）程度とする。放送素材の送出開始時刻から自動システム切り替えが完了するまでの３フレーム相当の間は、先頭カット（動画の先頭）の静止画が出力されるが、シームレスのシステム切り替え器を使用することにより、送出映像への影響（不体裁）を最小限にすることができる。
【００３０】
図３はこの発明に係る図１に対応した送出システムの動作状態図である。図３において、（ａ）に通常（制御異常のない）動作、（ｂ）に１系異常時の動作を表す。（ａ）の通常動作は、１系ＯＡ（On Air）タリーおよび２系ＯＡ（On Air）タリーが送出開始と同じタイミングでＯＦＦからＯＮに変化し、送出終了と同じタイミングでＯＮからＯＦＦに変化するため、現用系システム（１系）から予備系システム（２系）への自働システム切り替えがなく、現用系システム（１系）で動作する。また、出力映像は、送出開始のタイミングで１系送出映像が出力される。
【００３１】
（ｂ）の１系異常時の動作は、送出開始と同じタイミングで２系ＯＡ（On Air）タリーがＯＦＦからＯＮに変化するが、１系が異常なので、１系ＯＡ（On Air）タリーはＯＦＦのままであり、送出終了と同じタイミングで２系ＯＡ（On Air）タリーがＯＮからＯＦＦに変化するが、１系ＯＡ（On Air）タリーはＯＦＦのままである。
【００３２】
２系ＯＡ（On Air）タリーがＯＮになってから一定時間（３フレーム相当）の経過後に、システム自働切り替え（システムチェンジ）が実行され、２系システムが現用系システムとして動作する。また、出力映像は、送出開始のタイミングから一定時間（３フレーム相当）遅れて、２系送出映像が出力される。なお、送出開始から一定時間（３フレーム相当）の間は、１系先頭スチルが出力映像となり、不体裁となる。
【００３３】
このように、本発明は、ＯＡタリー（１系ＯＡ（On Air）タリーおよび２系ＯＡ（On Air）タリー）を監視することにより、制御異常を検知して自働システム切り替えを確実に実行するとともに、送出映像への影響を最小限にすることができる。
【００３４】
システム自動切り替えに伴う、一定時間（３フレーム相当）の遅れ時間の出力映像の先頭カットから激しい動きのある放送素材（映像）については、３フレームでも不体裁映像となるため、「ＯＡタリーの前倒し処理」により不体裁出力の回避を行う。
【００３５】
図４はこの発明に係る送出システムの別実施の形態システム構成図である。図４において、送出システム１１は、ＯＡタリー遅延装置（１系）１０ＡおよびＯＡタリー遅延装置（２系）１０Ｂを設け、ＯＡタリーを３フレーム相当分遅延（−３Ｆ）させて、１系ＯＡ（On Air）タリー（−３Ｆ）を現用制御系（主制御装置（１系）２）、２系ＯＡ（On Air）タリー（−３Ｆ）を予備制御系（主制御装置（２系）３）に供給するようにする。
【００３６】
主制御装置（１系）２から１系ＯＡ（On Air）タリー（−３Ｆ）を受信した送出制御装置（１系）４および主制御装置（２系）３から２系ＯＡ（On Air）タリー（−３Ｆ）を受信した送出制御装置（２系）５は、それぞれ１系ＯＡ（On Air）タリー（−３Ｆ）および２系ＯＡ（On Air）タリー（−３Ｆ）をシステム切り替え器６に通知するとともに、３フレーム前倒し（−３Ｆ）されたＯＡ（On Air）タリー（−３Ｆ）から遅延のない（０Ｆ）の送出開始タイミングを演算し、演算した送出開始タイミングで、おのおの放送素材記録装置（１系）１０１および放送素材記録装置（２系）１０２からの放送素材の出力を制御する。
【００３７】
システム切り替え器６は、現用制御系の制御異常を前倒し（−３Ｆ）されたＯＡ（On Air）タリーから検知し、３フレーム（３Ｆ）以内の時間で、現用系システムから予備系システムへのシステム自動切り替えができるので、予備系システムからの出力映像の開始タイミングには、何ら時間的な遅れがなくなり、映像の不体裁を回避することができる。
【００３８】
図５はこの発明に係る図４に対応した送出システムの動作状態図である。図５において、（ａ）に通常（制御異常のない）動作、（ｂ）に１系異常時の動作を表す。（ａ）の通常動作は、１系ＯＡ（On Air）タリー（−３Ｆ）および２系ＯＡ（On Air）タリー（−３Ｆ）が送出開始から−３フレーム前倒しの同じタイミングでＯＦＦからＯＮに変化し、送出終了から−３フレーム前倒しの同じタイミングでＯＮからＯＦＦになるため、現用系システム（１系）から予備系システム（２系）への自働システム切り替えがなく、現用系システム（１系）で動作する。また、出力映像は、送出開始のタイミングで１系送出映像が出力される。
【００３９】
（ｂ）の１系異常時の動作は、送出開始から−３フレーム前倒しのタイミングで２系ＯＡ（On Air）タリー（−３Ｆ）がＯＦＦからＯＮに変化するが、１系が異常なので、１系ＯＡ（On Air）タリー（−３Ｆ）はＯＦＦのままであり、送出終了から−３フレーム前倒しのタイミングで２系ＯＡ（On Air）タリーがＯＮからＯＦＦに変化するが、１系ＯＡ（On Air）タリー（−３Ｆ）はＯＦＦのままである。
【００４０】
２系ＯＡ（On Air）タリー（−３Ｆ）がＯＮになってから一定時間（３フレーム相当）の経過後に、システム自働切り替え（システムチェンジ）実行され、２系システムが現用系システムとして動作する。また、出力映像は、送出開始のタイミングで２系送出映像が出力されるため、送出映像に何ら不体裁を生じることがない。
【００４１】
なお、本実施の形態では、ＯＡタリー分配器（１系）７ＡおよびＯＡタリー分配器（２系）７Ｂと、ＯＡタリー遅延装置（１系）１０ＡおよびＯＡタリー遅延装置（２系）１０Ｂを個々に設けたが、ＯＡタリー遅延装置（１系）１０ＡおよびＯＡタリー遅延装置（２系）１０Ｂの機能をそれぞれＯＡタリー分配器（１系）７ＡおよびＯＡタリー分配器（２系）７Ｂに設けてもよい。
【００４２】
また、ＯＡタリー分配器（１系）７ＡおよびＯＡタリー分配器（２系）７Ｂに、ソフトウェアでＯＡタリー遅延機能を設けてもよい。
【００４３】
このように、この発明に係る送出システム１１は、ＯＡ（On Air）タリーを一定時間（−３フレーム相当）前倒しするので、現用系システムに制御異常が発生しても、一定時間（−３フレーム相当）以内に、予備系システムに自働切り替えが可能で、出力映像を送出開始のタイミングで出力することができ、何ら映像不体裁のない最適な出力映像を得ることができる。
【００４４】
図６はこの発明に係る図５に対応した送出システムの自動切り替え動作フロー図である。図６において、ステップＳ１では、ＯＡタリーの出力タイミングを所定フレーム分（−３Ｆ）前倒しにする。
【００４５】
ステップＳ２では、予備制御系のＯＡタリーがＯＮから所定フレーム分（−３Ｆ）後のタイミングで、現用制御系のＯＡタリーがＯＮか否かを判定する。
【００４６】
ステップＳ３では、現用制御系のＯＡタリーがＯＮの場合には、現用系（システム）で放送を実行する。
【００４７】
ステップＳ４では、現用制御系のＯＡタリーがＯＦＦの場合には、現用系（システム）を切り替え、予備系（システム）で放送を実行する。
【００４８】
このように、この発明に係る送出システムの自動切り替えは、ＯＡタリーの出力タイミングを所定フレーム分（−３Ｆ）前倒しにするので、現用系システムに制御異常が発生しても所定フレーム分以内に、予備系システムに切り替えることができ、時間遅れのない最適な映像を出力することができる。
【産業上の利用可能性】
【００４９】
本発明は、現用系システムに制御異常が発生した場合、ＯＡ（On Air）タリーを検知し、確実に現用系システムから予備系システムに切り替え、放送の継続を可能にする送出システムであって、あらゆる送出システムに適用することができる。
【図面の簡単な説明】
【００５０】
【図１】この発明に係る送出システムの一実施の形態システム構成図
【図２】この発明に係る送出システムの自働切り替えのイメージ図
【図３】この発明に係る図１に対応した送出システムの動作状態図
【図４】この発明に係る送出システムの別実施の形態システム構成図
【図５】この発明に係る図４に対応した送出システムの動作状態図
【図６】この発明に係る図５に対応した送出システムの自動切り替え動作フロー図
【図７】従来の送出システムのシステム構成図
【図８】従来の送出システムのアラーム信号によるシステム切り替え状態図
【図９】従来の送出システムのアラーム信号停止によるシステム切り替え不良イメージ図
【符号の説明】
【００５１】
１、１１、１００…送出システム
２、１０７…主制御装置（１系）
３、１０８…主制御装置（２系）
４、１０５…送出制御装置（１系）
５、１０６…送出制御装置（２系）
６、１０３…システム切り替え器
７Ａ…ＯＡタリー分配器（１系）
７Ｂ…ＯＡタリー分配器（２系）
８…ＯＡタリーＩＦ（１系）
９…ＯＡタリーＩＦ（２系）
１０Ａ…ＯＡタリー遅延装置（１系）
１０Ｂ…ＯＡタリー遅延装置（２系）
１０１…放送素材記録装置（１系）
１０２…放送素材記録装置（２系）
１０４…システム切り替え器制御画面
１０９…出力映像（１系）
１１０…出力映像（２系）
１１１…選択された送出映像
１１２…アラームＩＦ（１系）
１１３…アラームＩＦ（２系）
２０１…アラーム信号
【図１】
2010011317.tif 000003
【図２】
2010011317.tif 000004
【図３】
2010011317.tif 000005
【図４】
2010011317.tif 000006
【図５】
2010011317.tif 000007
【図６】
2010011317.tif 000008
【図７】
2010011317.tif 000009
【図８】
2010011317.tif 000010
【図９】
2010011317.tif 000011